(57)【特許請求の範囲】
【請求項１】
静止位置から作動位置に変移されたときに人体局部に対してノズルから洗浄水を噴射して前記人体局部を洗浄する洗浄手段、前記洗浄手段の前記静止位置と前記作動位置との間の変移を司る駆動手段、前記洗浄の後にヒータで暖められた空気をモータ駆動ファンによりダクトの開口部から前記人体局部方向に吹き出させて前記人体局部を乾燥せしめる乾燥手段、前記ダクトの開口部に回動可能装架されて前記温風の吹き出し方向を変更する切替部材および前記温風の吹き出し時に前記駆動手段の駆動力を用いて前記切替部材を往復回動せしめる調整手段を備えた衛生洗浄装置。
【請求項２】
前記調整手段は前記ノズルと前記切替部材との間に介設されたリンク機構および前記ノズルを前記静止位置と前記作動位置との間の所定の２位置の間を往復動させる制御手段とからなる、請求項１記載の衛生洗浄装置。
【請求項３】
前記切替部材は、前記ノズルが前記静止位置にあるとき前記ダクトの前記開口部を閉塞する、請求項１記載の衛生洗浄装置。
【発明の詳細な説明】
【０００１】
【発明の属する技術分野】
本発明は、衛生洗浄装置に関するものであり、特に衛生洗浄装置の乾燥装置の改良に関するものである。
【０００２】
【従来の技術】
従来の衛生洗浄装置の乾燥装置、例えば、実開昭５９−１９２９７０号公報に開示されたものにおいては、ダクトの開口部に風向可変手段が装架されている。そして、この風向可変手段を周期的に変移させることにより、ダクトの開口部から吹き出される温風を満遍なく洗浄後の人体局部（肛門周辺）に行き渡るようになっている。そして、この風向可変手段をリンク機構を介して周期的に変移させるモータが、ダクトの開口部の横側に配設されている。
【０００３】
【発明が解決しようとする課題】
ところが、この装置においては、ダクトの開口部は、便器の内部空間の上方に位置しているので、ダクトの開口部の横側に配設されたモータの防水のために、モータを収容する部位をダクトに隣接して形成せねばならず、ダクトの構造が複雑となっていた。
【０００４】
それ故に、本発明は、かような不具合がない衛生洗浄装置を提供せんことを、その技術的課題とするものである。
【０００５】
【課題を解決するための手段】
上記技術的課題を解決するために請求項１記載の発明において講じた技術的手段は、静止位置から作動位置に変移されたときに人体局部に対してノズルから洗浄水を噴射して前記人体局部を洗浄する洗浄手段、前記洗浄手段の前記静止位置と前記作動位置との間の変移を司る駆動手段、前記洗浄の後にヒータで暖められた空気をモータ駆動ファンによりダクトの開口部から前記人体局部方向に吹き出させて前記人体局部を乾燥せしめる乾燥手段、前記ダクトの開口部に回動可能装架されて前記温風の吹き出し方向を変更する切替部材および前記温風の吹き出し時に前記駆動手段の駆動力を用いて前記切替部材を往復回動せしめる調整手段を備えた衛生洗浄装置を構成したことである。
【０００６】
【作用】
上記の技術的手段においては、温風の吹き出し方向を変更する切替部材は、洗浄手段を駆動する駆動源により変移される。
【０００７】
【発明の実施の形態】
以下、添付図面を参照して本発明の実施形態について説明する。
【０００８】
図１ないし図６において、本発明の一実施形態に係る衛生洗浄装置１０は、便器１１の後部上に装架されるケーシング１２を備える。ケーシング１２には、共通の１対のピン（図示略）を介して、便座１３および便蓋１４が上下動可能に枢支されている。
【０００９】
ケーシング１２内部には、洗浄機構２０が配設されている。この洗浄機構２０は、ケーシング１２内部に固定されたブラケット２１上を移動可能なシリンダ体２２を備える。シリンダ体２２は、一体運動する１対のシリンダ部２３・２４を備えており、シリンダ部２３・２４内には、ノズル２５・２６が進退可能に装架されている。ノズル２５・２６は、ケーシング１２の開口部１６を介して、便器１１の内部を指向している。
【００１０】
シリンダ体２２には、ラック２７が形成されており、このラック２７には、モータ２８のシャフト２８ａの先端部に固定されたピニオン２９が噛合しており、図３に示される制御装置３０の肛門洗浄スイッチ３１（ビデ洗浄スイッチ３２）がオンされると、コントローラ３３はモータ２８をしてシリンダ体２２を静止位置から作用位置まで変移せしめる。そして、洗浄水により押し出されたノズル２５（２６）からの先端部から噴出する洗浄水により、周知のように、便座１３上の使用者の肛門（ビデ）が洗浄されるようになっている。洗浄中に停止スイッチ３５がオンされた場合、コントローラ３３はモータ２８をしてシリンダ体２２を静止位置に復帰せしめる。また、肛門洗浄中に乾燥スイッチ３４がオンされると、洗浄が中止され、後述する乾燥機構４０の作用により、肛門部位の乾燥がなされるようになっている。
【００１１】
乾燥機構４０は、シリンダ部２３の下側に位置すべく、ケーシング１２に一体形成されたダクト４１を備える。ダクト４１の奥部内には、ヒータ４２およびモータ４３で駆動されるファン４４が配設されている。ダクト４１の先端部の開口部４５は、下方に拡大・垂下した形状をなしており、吹き出し口４６を備えている。開口部４５内には、球状の切替部材４７が装架されている。切替部材４７には、貫通穴４８が形成されている。貫通穴４８は、上壁４８ａ、下壁４８ｂおよび両者をつなぐ１対の側壁４８ｃ・４８ｄにより画成される。乾燥スイッチ３４がオンされて乾燥機構４０が作動すると、ヒータ４２に通電がなされて発熱し、周辺の空気が暖められる。そして、この暖められた空気がモータ４３で駆動されるファン４４により、温風として、ダクト４１、切替部材４７の貫通穴４８および吹き出し口４６を介して、洗浄後の肛門部位に向けて吹き付けられるようになっている。
【００１２】
切替部材４７の上側には突起４７ａが形成されており、この突起４７ａは、ダクト４１の先端部の上部に形成された穴４１ａ内に回転可能に装架されたリンク板５０の中心部に挿入・固定されている。また、切替部材４７の下側には突起４７ｂが形成されており、この突起４７ｂが開口部４５の底部に形成された穴４５ｂ内に回転可能に挿入されている。後述するところから明らかなように、リンク板５０が穴４１ａを中心として回転したとき、切替部材４７も一体的に回転するようになっており、この切替部材４７の回転に応じて、貫通穴４８の側壁４８ｃ・４８ｄと吹き出し口４６とのなす角度が変化し、この変化が温風の吹き出し方向の変化となるようになっている。
【００１３】
図４から明らかなように、リンク板５０には、径方向に溝５１が形成されており、この溝５１内には、シリンダ部２３・２４の下部を架橋するプレート２９から下方に延在するピン５２が係合しており、シリンダ部２３の一方向（他方向）の移動により、リンク板５０が一方向（他方向）に回動するようになっている。乾燥機構４０の作動時は、コントローラ３３により、シリンダ体２２が所定の２位置の間を往復移動するようになっており、この往復移動により、切替部材４７の貫通穴４８の側壁４８ｃ・４８ｄと吹き出し口４６との相対関係が、図６の（ａ）（ｂ）（ｃ）（ｂ）（ａ）に示すように順次、繰り返し変化する。
【００１４】
上記した２位置の一方はシリンダ体２２の作動位置で、他方は作動位置と静止位置の間の設定された位置である。また、シリンダ体２２が静止位置にあるときに、図７に示すように、切替部材４７の貫通穴４８が吹き出し口４６と重畳しないようにしておけば、防水用のシャッターを兼ねることができる。また、切替部材４７の回転をシリンダ体２２の駆動手段たるモータから得ているので、専用の駆動手段を別途設ける必要がない。
【００１５】
尚、図８に示されるように、リンク板１５０の軸１５０ａをダクト４１の先端部の上部に形成された穴４１ａ内に回転可能に装架すると共に、リンク板１５０の先端部から下方に貫通穴１４８が形成された切替部材１４７を延在させて、切替部材１４７を吹き出し口４６の前に位置させても良い。
【００１６】
【発明の効果】
請求項１の発明によれば、次の効果を奏する。
【００１７】
・温風の吹き出し方向を変更する切替部材を洗浄手段を駆動する駆動源により変移させているので、切替部材の変移のための駆動源を別途準備する必要がない。
【図面の簡単な説明】
【図１】本発明に係る衛生洗浄装置が適用されるトイレ装置の斜視図である。
【図２】本発明に係る衛生洗浄装置の洗浄機構の斜視図である。
【図３】本発明に係る衛生洗浄装置の主要部の断面図である。
【図４】リンク機構の配置状態を示す図である。
【図５】本発明に係る衛生洗浄装置の制御装置のブロックダイアグラムである。
【図６】切替部材の作用を説明する図である。
【図７】洗浄機構が静止位置にあるときの切替部材の状態を示す図である。
【図８】図３で示す構造の変形例の断面図である。
【符号の説明】
２０  洗浄機構（洗浄手段）
２３  ノズル体（ノズル）
２４  ノズル体（ノズル）
２８  モータ（駆動手段）
３０  制御装置（制御手段）
４０  乾燥機構（乾燥手段）
４１  ダクト
４２  ヒータ
４４  ファン
４５  ダクトの開口部
４６  吹き出し口
４７  切替部材
５０  リンク板（リンク機構）
５２  ピン（リンク機構）
１５０  リンク板（リンク機構）
【図１】
0003700739.tif 000002
【図２】
0003700739.tif 000003
【図３】
0003700739.tif 000004
【図４】
0003700739.tif 000005
【図５】
0003700739.tif 000006
【図６】
0003700739.tif 000007
【図７】
0003700739.tif 000008
【図８】
0003700739.tif 000009